(57)【要約】【課題】光源、導光部材および光拡散部材の分解および組み付けを容易に行うことができるとともに、組み付け時に光源から照射領域までの光路上に光拡散部材を高精度に位置決めすることができ、原稿照明装置のメンテナンス作業の作業性を向上させて副走査方向に均一な照度分布を得ることができる原稿照明装置、走査光学ユニット、画像読取装置および画像形成装置を提供すること。【解決手段】原稿照明部５６が、反射部４７が取付けられる対向面４３ｂを有するカバー部材４３と、カバー部材４３に対して分割されるとともにカバー部材４３に着脱自在に設けられ、カバー部材４３の対向面４３ｂに対向して反射部４８、４９が取付けられた対向面４２ａを有する遮蔽部材４２とを備え、カバー部材４３に光拡散シート８１が固定されるとともに、遮蔽部材４２に、光拡散シート８１の係合突起８１ｂに係合する穴４２ｃが設けられる。【選択図】図３
2010191184.tif 000002
【特許請求の範囲】
【請求項１】
光源と、前記光源から光を原稿の照射領域に導く導光部材と、前記光源から原稿の照射領域までの光路上に配置され、前記光源からの光を拡散する光拡散部材と、前記導光部材を支持する支持部材とを備えた原稿照明装置において、
前記支持部材を、前記導光部材が取付けられる第１の対向面を有する第１の支持部材と、前記第１の支持部材と別体に設けられ、前記第１の対向面に対向して前記導光部材が取付けられた第２の対向面を有する第２の支持部材とから構成し、
前記第１の支持部材および前記第２の支持部材のいずれか一方に前記光拡散部材を固定するとともに、前記第１の支持部材および前記第２の支持部材のいずれか他方に前記光拡散部材に係合する係合部を設けたことを特徴とする原稿照明装置。
【請求項２】
前記第１の支持部材および前記第２の支持部材が着脱自在に構成されるとともに、前記光拡散部材が、前記第１の支持部材および前記第２の支持部材のいずれか一方に固定される一端部および前記係合部に係合する係合突起を有する他端部を備えたシート状部材から構成され、
前記係合部を穴から構成することにより、前記第１の支部部材および前記第２の支持部材を一体化したときに、前記光拡散部材の前記係合突起が前記穴に係合されるようにしたことを特徴とする請求項１に記載の原稿照明装置。
【請求項３】
前記第１の支持部材の前記第１の対向面および前記第２の支持部材の前記第２の対向面に前記光源が嵌合する嵌合部が形成され、前記光源が前記第１の支持部材および前記第２の支持部材に挟持されることを特徴とする請求項１または請求項２に記載の原稿照明装置。
【請求項４】
請求項１ないし請求項３のいずれか１項に記載の原稿照明装置を備えた走査光学ユニットであって、
前記原稿照明装置が着脱自在に取付けられるとともに、原稿から反射された光を読み取る読取手段を内蔵し、原稿の副走査方向に移動自在な筐体を備え、
前記第２の支持部材が、前記筐体内に前記読取手段が収納された空間が画成されるように前記原稿照明装置と前記読取手段とを隔離し、前記第２の支持部材に、前記原稿から反射された光を前記空間に導くように主走査方向に延在する長尺のスリットが設けられることを特徴とする走査光学ユニット。
【請求項５】
請求項１ないし請求項３のいずれか１項に記載の原稿照明装置を備えた走査光学ユニットであって、
少なくとも原稿から反射された光を読取手段に向かって反射する反射ミラーを内蔵し、原稿の副走査方向に移動自在な筐体を備え、
前記第２の支持部材が、前記筐体内に前記反射ミラーが収納された空間が画成されるように前記原稿照明装置と前記反射ミラーとを隔離し、前記第２の支持部材に、前記原稿から反射された光を前記空間に導くように主走査方向に延在する長尺のスリットが設けられることを特徴とする走査光学ユニット。
【請求項６】
請求項４または請求項５に記載の走査光学ユニットを備えた画像読取装置であって、
前記原稿照明装置を副走査方向に移動させる駆動手段を備えたことを特徴とする画像読取装置。
【請求項７】
請求項６に記載の画像読取装置を備えた画像形成装置であって、
前記読取手段によって読み取った画像を記録媒体上に形成する画像形成手段を有することを特徴とする画像形成装置。
【発明の詳細な説明】
【技術分野】
【０００１】
本発明は、原稿照明装置、走査光学ユニット、画像読取装置および画像形成装置に関し、例えば、原稿に光を照射する原稿照明装置、この原稿照明装置を備えた走査光学ユニット、この走査光学ユニットを備えた複写機、ファクシミリ装置、イメージスキャナ等に使用される画像読取装置およびこの画像読取装置を備えた画像形成装置に関する。
【背景技術】
【０００２】
複写機、ファクシミリ装置、イメージスキャナ等の画像読取装置にあっては、光源の立ち上がりのスピード、省エネルギー化、長寿命化の要望があり、光源として発光ダイオード（ＬＥＤ）を用いた原稿照明装置が採用されている。
【０００３】
ところが、点光源と見なせるほど小さい発光面を備える発光ダイオードだけで照明系を構成すると、光量が低下するほか副走査方向に均一な照度分布形状が得られないことになるため、発光ダイオードからの光を導く導光部材を採用する必要がある。
【０００４】
すなわち、画像形成装置として、モノクロ、フルカラー、ＭＦＰ等のデジタル複写機、汎用スキャナー等の高画質を要求している画像読取装置、アナログ複写機においては、ＬＥＤ等の光源と導光部材の最適化を図り、光を効率よく集め、かつ、均一な照度分布を得る必要がある。
【０００５】
このような原稿照明装置としては、コンタクトガラスの下方から照明する光を出射するライン状に配列された複数の点光源と、点光源から出射される光の射出方向前方に位置付けられ、点光源から出射された光をコンタクトガラス上の原稿に向けて主走査方向に沿って照明するように導光する導光部材を有し、この導光部材に、ライン状に配列された点光源のそれぞれと導光部材との間隔が一定となるように位置決めするとともに、点光源の配列方向が導光部材の長手方向に沿って一致するように位置決めする位置決め手段を設けたものがある（例えば、特許文献１参照）。
【０００６】
この原稿照明装置にあっては、導光部材が位置決め手段を有するので、点光源と導光部材の位置決めの最適化を図ることができ、点光源から出射された光を導光部材に均等に入射させて、点光源から出射された光を導光部材に効率よく集め、原稿に対して均一な照度分布で照射させることができる。
【０００７】
ところが、このような構成を有する原稿照明装置にあっては、本等を開いてコンタクトガラス上に載置すると、本等の構造上必然的に頁間部分が浮いてしまうため、この浮いた頁間部分がコンタクトガラスに対して角度を持ってしまう。また、厚みの有する原稿をコンタクトガラスに載置すると、原稿とコンタクトガラス間に段差が生じてしまう。
【０００８】
この角度を持って浮いた部分や段差は、一方向からの照明では全体を照明することができず、影ができてしまうため、原稿の読取時に黒い影が読み取られてしまうという不具合が発生してしまった。
【０００９】
このような不具合を解消するものとしては、原稿面に光を照射するためのＬＥＤと、ＬＥＤが装着され、ＬＥＤから出射された光を長さと幅を有する読取対象領域に導く原稿照明装置と、原稿面から反射された光を結像する結像光学系と、結像光学系の結像部に設けられ、原稿面上の原稿の画像を読み取るセンサとを有する画像読取装置において、原稿照明装置が、集光作用を有する光学部材と、複数の反射板（導光部材に相当）とを有し、原稿照明装置の部材設置領域を、原稿面に垂直で、ＬＥＤから出射された光の長さ方向に平行であり、かつ読取対象領域を通過する仮想平面によって２つの区画に分割したときに、複数の反射板が各区画に少なくとも１つずつ設置されるようにしたものがある（例えば、特許文献２参照）。
【００１０】
このような画像読取装置にあっては、原稿面の浮きによる影部分の発生を防止することができ、なおかつ小型で集光の度合いを弱める事の無い高い光利用効率の原稿照明装置を得ることができる。
【００１１】
ところが、光源としてＬＥＤ等の点光源を使用する場合には、複数の点光源を主走査方向（読取ライン方向）に直線状に配列する構成をとるため、各点光源から出射された光を原稿面などの読取面に直接照射すると、主走査方向において照度リップル（照度分布のムラ）が生じ、読み取った画像データに応じて画像形成した場合に照度リップルが原因となる画像濃度ムラが発生する。
【００１２】
このような照射リップルが生じるのを防止するために、ＬＥＤと原稿面との間に光拡散部材を設置し、ＬＥＤから出射された光を光拡散部材によって拡散することにより、照明リップルを抑制して照度分布を均一にするようにした原稿照明装置が知られている（例えば、特許文献３参照）。
【００１３】
この原稿照明装置は、直線状に配列された複数のＬＥＤと、ＬＥＤから出射された光の出射方向前方に配置され、ＬＥＤから出射された光をＬＥＤの配列方向と直交する方向に集光させる集光体（導光部材に相当）と、ＬＥＤから出射された光が照明対象物に至るまでの光路上に配置され、この光をランダムに拡散する光拡散部材とを備えている。
この原稿照明装置は、光拡散部材を集光体の集光面に取付け、この集光体が反射板を兼用する支持部材に挟み込まれるようにして支持されるようになっている。
【発明の概要】
【発明が解決しようとする課題】
【００１４】
しかしながら、特許文献３に記載される原稿照明装置にあっては、ＬＥＤ、反射板のメンテナンスを行うために原稿照明装置を分解する際に、ＬＥＤ、集光体および光拡散部材を有する反射板を分解する必要があるとともに、原稿照明装置を一体化する際に、光拡散部材をＬＥＤからの照射領域までの光路上に高精度に位置決めする作業が必要となってしまうので、原稿照明装置のメンテナンス作業の作業性が悪化してしまうという問題があった。
【００１５】
また、特許文献２に記載される原稿照明装置は、光拡散部材を有していないが、この原稿照明装置に光拡散部材を設けてＬＥＤと反射板のメンテナンスを行う場合には、ＬＥＤ、反射板および光拡散部材を分解する必要があるとともに、原稿照明装置を一体化する際に、光拡散部材をＬＥＤからの照射領域までの光路上に高精度に位置決めする作業が必要となることが考えられるので、特許文献３に記載されたものと同様に原稿照明装置のメンテナンス作業の作業性が悪化してしまうという問題があった。
【００１６】
本発明はこのような課題を解決するためになされたもので、光源、導光部材および光拡散部材の分解および組み付けを容易に行うことができるとともに、組み付け時に光源から照射領域までの光路上に光拡散部材を高精度に位置決めすることができ、原稿照明装置のメンテナンス作業の作業性を向上させて副走査方向に均一な照度分布を得ることができる原稿照明装置、走査光学ユニット、画像読取装置および画像形成装置を提供することである。
【課題を解決するための手段】
【００１７】
本発明の原稿照明装置は、上記目的を達成するため、光源と、前記光源から光を原稿の照射領域に導く導光部材と、前記光源から原稿の照射領域までの光路上に配置され、前記光源からの光を拡散する光拡散部材と、前記導光部材を支持する支持部材とを備えた原稿照明装置において、前記支持部材を、前記導光部材が取付けられる第１の対向面を有する第１の支持部材と、前記第１の支持部材と別体に設けられ、前記第１の対向面に対向して前記導光部材が取付けられた第２の対向面を有する第２の支持部材とから構成し、前記第１の支持部材および前記第２の支持部材のいずれか一方に前記光拡散部材を固定するとともに、前記第１の支持部材および前記第２の支持部材のいずれか他方に前記光拡散部材に係合する係合部を設けたものから構成されている。
【００１８】
この構成により、例えば、第１の支持部材に光拡散部材を固定すれば、第１の支持部材および光拡散部材を第２の支持部材から一体的に取り外すことができ、光源および導光部材に簡単にアクセスすることができる。
【００１９】
また、第２の支持部材に設けられた係合部に光拡散部材を係合させるようにして第１の支持部材および光拡散部材を第２の支持部材に一体的に取付けることにより、光拡散部材を光源から照射領域までの光路上に高精度に位置決めすることができる。この結果、原稿照明装置のメンテナンス作業の作業性を向上させて副走査方向に均一な照度分布を得ることができる。
【００２０】
また、本発明の原稿照明装置は、前記第１の支持部材および前記第２の支持部材が着脱自在に構成されるとともに、前記光拡散部材が、前記第１の支持部材および前記第２の支持部材のいずれか一方に固定される一端部および前記係合部に係合する係合突起を有する他端部を備えたシート状部材から構成され、前記係合部を穴から構成することにより、前記第１の支部部材および前記第２の支持部材を一体化したときに、前記光拡散部材の前記係合突起が前記穴に係合されるものから構成される。
【００２１】
この構成により、シート状の光拡散部材が第１の支持部材に取付けられている場合には、光拡散部材の係合突起を第２の支持部材の穴に係合させるようにして第１の支持部材および光拡散部材を第２の支持部材に組み付けることができ、光拡散部材を光源から照射領域までの光路上に高精度に位置決めすることができる。この結果、原稿照明装置のメンテナンス作業の作業性をより一層向上させることができる。
【００２２】
また、光拡散部材が、例えば、第１の支持部材に固定される一端部と、第２の支持部材に形成された穴に係合突起を有する他端部とを備えているので、導光効率の良い導光部材を用いた場合に第１の支持部材が光拡散部材に覆われてしまうのを防止することができる。
このため、第２の支持部材の導光部材のメンテナンスを確実に行うことができるとともに、シート状の光拡散部材の幅方向（主走査方向）で拡散効果を得ることができる。この結果、照明リップルを抑制して副走査方向の照度分布をより確実に均一にすることができる。
【００２３】
また、本発明の原稿照明装置は、前記第１の支持部材の前記第１の対向面および前記第２の支持部材の前記第２の対向面に前記光源が嵌合する嵌合部が形成され、前記光源が前記第１の支持部材および前記第２の支持部材に挟持されるものから構成されている。
【００２４】
この構成により、第１の支持部材の第１の対向面および第２の支持部材の第２の対向面に形成された嵌合部に光源を嵌合して光源を第１の支持部材および第２の支持部材によって挟持するとともに、第１の支持部材および第２の支持部材を分解して嵌合部から光源を取り外すことにより、光源を第１の支持部材および第２の支持部材に容易に着脱することができ、原稿照明装置のメンテナンス作業の作業性をより一層向上させることができる。
【００２５】
また、本発明の走査光学ユニットは、上述した原稿照明装置を備えた走査光学ユニットであって、前記原稿照明装置が着脱自在に取付けられるとともに、原稿から反射された光を読み取る読取手段を内蔵し、原稿の副走査方向に移動自在な筐体を備え、前記第２の支持部材が、前記筐体内に前記読取手段が収納された空間が画成されるように前記原稿照明装置と前記読取手段とを隔離し、前記第２の支持部材に、前記原稿から反射された光を前記空間に導くように主走査方向に延在する長尺のスリットが設けられるものから構成されている。
【００２６】
この構成により、第２の支持部材が、筐体内に読取手段が収納された空間が画成されるように原稿照明装置と読取手段とを隔離し、第２の支持部材に、原稿から反射された光を空間に導くように主走査方向に延在する長尺のスリットが設けられるので、原稿からの反射光を読取手段に導く光路を確保して、原稿照明装置と読取手段を光学的に遮断することができる。
このため、光源からの照射光が第２の支持部材によって読取手段に入り込むのを防止することができ、原稿からの反射光以外の光（フレア光）が読取手段に入り込むことを防止できる。このため、読取手段によってより鮮明な画像を読み取ることができる。
【００２７】
そして、走査光学ユニットの筐体から原稿照明装置を取り外した後、光源、導光部材および光拡散部材の分解および組み付けを容易に行うことができるとともに、組み付け時に光源から照射領域までの光路上に高精度に位置決めすることができ、原稿照明装置のメンテナンス作業の作業性を向上させて副走査方向に均一な照度分布を得ることができる。
【００２８】
また、本発明の走査光学ユニットは、上述した原稿照明装置を備えた走査光学ユニットであって、少なくとも原稿から反射された光を読取手段に向かって反射する反射ミラーを内蔵し、原稿の副走査方向に移動自在な筐体を備え、前記第２の支持部材が、前記筐体内に前記反射ミラーが収納された空間が画成されるように前記原稿照明装置と前記反射ミラーとを隔離し、前記第２の支持部材に、前記原稿から反射された光を前記空間に導くように主走査方向に延在する長尺のスリットが設けられるものから構成されている。
【００２９】
この構成により、第２の支持部材が、筐体内に反射ミラーが収納された空間が画成されるように原稿照明装置と反射ミラーとを隔離し、第２の支持部材に、原稿から反射された光を空間に導くように主走査方向に延在する長尺のスリットが設けられるので、原稿からの反射光を反射ミラーに導く光路を確保して、原稿照明装置と反射ミラーを光学的に遮断することができる。
このため、光源からの照射光が第２の支持部材によって反射ミラーに入り込むのを防止することができ、原稿からの反射光以外の光（フレア光）が反射ミラーに入り込むことを防止できる。このため、読取手段によってより鮮明な画像を読み取ることができる。
そして、走査光学ユニットの筐体から原稿照明装置を取り外した後、光源、導光部材および光拡散部材の分解および組み付けを容易に行うことができるとともに、組み付け時に光源から照射領域までの光路上に高精度に位置決めすることができ、原稿照明装置のメンテナンス作業の作業性を向上させて副走査方向に均一な照度分布を得ることができる。
【００３０】
また、本発明の画像読取装置は、上述した走査光学ユニットを備えた画像読取装置であって、前記原稿照明装置を副走査方向に移動させる駆動手段を備えたものから構成されている。
【００３１】
この構成により、光源、導光部材および光拡散部材の分解および組み付けを容易に行うことができるとともに、組み付け時に光源から照射領域までの光路上に光拡散部材を高精度に位置決めすることができ、原稿照明装置のメンテナンス作業の作業性を向上させて副走査方向に均一な照度分布を得ることができる原稿照明装置を備えた画像読取装置を提供することができる。
【００３２】
また、本発明の画像形成装置は、上述した画像読取装置を備えた画像形成装置であって、前記読取手段によって読み取った画像を記録媒体上に形成する画像形成手段を有するものから構成されている。
【００３３】
この構成により、光源、導光部材および光拡散部材の分解および組み付けを容易に行うことができるとともに、組み付け時に光源から照射領域までの光路上に光拡散部材を高精度に位置決めすることができ、原稿照明装置のメンテナンス作業の作業性を向上させて副走査方向に均一な照度分布を得ることができる原稿照明装置を備えた画像形成装置を提供することができる。
【発明の効果】
【００３４】
以上説明したように、光源、導光部材および光拡散部材の分解および組み付けを容易に行うことができるとともに、組み付け時に光源から照射領域までの光路上に光拡散部材を高精度に位置決めすることができ、原稿照明装置のメンテナンス作業の作業性を向上させて副走査方向に均一な照度分布を得ることができる原稿照明装置、走査光学ユニット、画像読取装置および画像形成装置を提供することができる。
【図面の簡単な説明】
【００３５】
【図１】本発明に係る原稿照明装置、走査光学ユニット、画像読取装置および画像形成装置の第１の実施の形態を示す図であり、カラー複写機の概略構成図である。
【図２】本発明に係る原稿照明装置、走査光学ユニット、画像読取装置および画像形成装置の第１の実施の形態を示す図であり、画像読取装置の概略斜視図である。
【図３】本発明に係る原稿照明装置、走査光学ユニット、画像読取装置および画像形成装置の第１の実施の形態を示す図であり、一体型走査光学ユニットの断面図である。
【図４】本発明に係る原稿照明装置、走査光学ユニット、画像読取装置および画像形成装置の第１の実施の形態を示す図であり、ＬＥＤユニットの斜視図である。
【図５】本発明に係る原稿照明装置、走査光学ユニット、画像読取装置および画像形成装置の第１の実施の形態を示す図であり、カバー部材の断面図である。
【図６】本発明に係る原稿照明装置、走査光学ユニット、画像読取装置および画像形成装置の第１の実施の形態を示す図であり、カバー部材を下方から見たときの斜視図である。
【図７】本発明に係る原稿照明装置、走査光学ユニット、画像読取装置および画像形成装置の第１の実施の形態を示す図であり、遮蔽部材を上方から見たときの斜視図である。
【図８】本発明に係る原稿照明装置、走査光学ユニット、画像読取装置および画像形成装置の第１の実施の形態を示す図であり、遮蔽部材の断面図である。
【図９】本発明に係る原稿照明装置、走査光学ユニット、画像読取装置および画像形成装置の第１の実施の形態を示す図であり、光拡散シートの突起部を遮蔽部材の穴に係合した状態を示す遮蔽部材および光拡散シートの要部断面図である。
【図１０】本発明に係る原稿照明装置、走査光学ユニット、画像読取装置および画像形成装置の第１の実施の形態を示す図であり、遮蔽部材を上方から見たときの斜視図である。
【図１１】本発明に係る原稿照明装置、走査光学ユニット、画像読取装置および画像形成装置の第１の実施の形態を示す図であり、筐体を上方から見たときの斜視図である。
【図１２】本発明に係る原稿照明装置、走査光学ユニット、画像読取装置および画像形成装置の第１の実施の形態を示す図であり、筐体、遮蔽部材およびカバー部材を分解したときの一体型走査光学ユニットの要部斜視図である。
【図１３】本発明に係る原稿照明装置、走査光学ユニット、画像読取装置および画像形成装置の第１の実施の形態を示す図であり、筐体および遮蔽部材とカバー部材とを分解したときの一体型走査光学ユニットの要部斜視図である。
【図１４】本発明に係る原稿照明装置、走査光学ユニット、画像読取装置および画像形成装置の第１の実施の形態を示す図であり、筐体、遮蔽部材およびカバー部材が組み付けられた状態を示す一体型走査光学ユニットの要部斜視図である。
【図１５】本発明に係る原稿照明装置、走査光学ユニット、画像読取装置および画像形成装置の第１の実施の形態を示す図であり、他の形状のカバー部材を上方から見たときのカバー部材の斜視図である。
【図１６】本発明に係る原稿照明装置、走査光学ユニット、画像読取装置および画像形成装置の第１の実施の形態を示す図であり、遮蔽部材と他の形状のカバー部材および筐体が組み付けられた状態を示す一体型走査光学ユニットの要部斜視図である。
【図１７】本発明に係る原稿照明装置、走査光学ユニット、画像読取装置および画像形成装置の第１の実施の形態を示す図であり、光拡散シートの突起部を遮蔽部材の他の形状の穴に係合した状態を示す遮蔽部材および光拡散シートの要部断面図である。
【図１８】本発明に係る原稿照明装置、走査光学ユニット、画像読取装置および画像形成装置の第２の実施の形態を示す図であり、画像読取装置の概略斜視図である。
【図１９】本発明に係る原稿照明装置、走査光学ユニット、画像読取装置および画像形成装置の第３の実施の形態を示す図であり、カバー部材および導光部材の側面図である。
【図２０】本発明に係る原稿照明装置、走査光学ユニット、画像読取装置および画像形成装置の第３の実施の形態を示す図であり、カバー部材を下方から見たときの斜視図である。
【図２１】本発明に係る原稿照明装置、走査光学ユニット、画像読取装置および画像形成装置の第３の実施の形態を示す図であり、遮蔽部材を上方から見たときの斜視図である。
【発明を実施するための形態】
【００３６】
以下、本発明の実施の形態について、図面を用いて説明する。
（第１の実施の形態）
図１〜図１７は、本発明に係る原稿照明装置、走査光学ユニット、画像読取装置および画像形成装置の第１の実施の形態を示す図である。なお、画像読取装置は、イメージスキャナに適用してもよく、画像形成装置としては、イメージスキャナを有する複写機やファクシミリ装置、複写機能とファクシミリ機能等を備えた複合機等に適用することができる。
【００３７】
まず、構成を説明する。
図１において、画像形成装置としてのカラー複写機１は、自動原稿搬送部（以下、ＡＤＦともいう）２と、給紙部３と、画像読取装置４と、画像形成部５とを含んで構成されている。
【００３８】
ＡＤＦ２は、原稿トレイ１１と、原稿トレイ１１に載置された原稿束から原稿を１枚ずつ分離してコンタクトガラス７に向かって搬送する各種ローラ等からなる給紙部１３とを備えている。
【００３９】
ＡＤＦ２は、給紙部１３によって分離された原稿をコンタクトガラス７上に搬送する搬送ベルト８を備えている。また、ＡＤＦ２は、各種ローラ等からなる排紙部９を備えており、コンタクトガラス７上の原稿が画像読取装置４によって読み取られると、搬送ベルト８によってコンタクトガラス７から排紙される原稿は、排紙部９によって原稿トレイ１１の下方の排紙トレイ１２に排紙されるようになっている。また、ＡＤＦ２は、画像読取装置４に対して図示しないヒンジ等の開閉機構を介して開閉自在に取付けられている。
【００４０】
給紙部３は、用紙サイズの異なる記録媒体としての記録紙を収納する給紙カセット２１、２２と、給紙カセット２１、２２に収納された記録紙を画像形成部５の画像形成位置まで搬送する各種ローラからなる給紙手段２３とを備えている。
【００４１】
画像読取装置４は、図２に示すように、画像読取装置４の筐体４ａ内に一体型走査光学ユニット（走査光学ユニット）４０を備えており、この一体型走査光学ユニット４０は、後述するＬＥＤユニット４４から主走査方向（図２の矢印Ａ方向）に光を照射するとともに、画像読取装置４に備えられる図示しない駆動手段によって全照射領域Ｗ内において副走査方向（図１、図２の矢印Ｂ方向）に走査（移動）されることによって、原稿の２次元カラー画像を読み取るようになっている。また、コンタクトガラス７は、画像読取装置４の筐体４ａの上部に設けられており、筐体４ａの上面を構成している。
【００４２】
なお、駆動手段は、一体型走査光学ユニット４０に固定されたワイヤ、ワイヤに橋架される複数の従動プーリおよび駆動プーリと、駆動プーリを回転させるモータ等によって構成されるものであり、公知であるため、図示省略する。
【００４３】
画像形成部５は、画像形成手段を構成するものであり、露光装置３１と、複数の感光体ドラム３２と、各感光体ドラム３２の周囲に設置された異なる色（シアン（Ｃ）、イエロー（Ｙ）、マゼンタ（Ｍ）、ブラック（Ｂｋ））のトナーを有する現像装置３３と、転写ベルト３４と、定着装置３５とを備えている。
【００４４】
画像形成部５は、画像読取装置４によって読み取られて色別分解された画情報に基づいて複数の感光体ドラム３２に色分けして画像を形成し、給紙部３から供給された記録紙に感光体ドラム３２上のトナーを重ね合わせて転写した後、定着装置３５により記録紙に転写されたトナー画像のトナーを溶融して、記録紙にカラー画像を定着するようになっている。
また、カラー複写機１は、図示しない画像送受信装置によって読み取った画像を相手先の装置に送信する機能も備えている。
【００４５】
次に、図３〜図１６に基づいて一体型走査光学ユニット４０の構成を説明する。
図３に示すように、一体型走査光学ユニット４０は、筐体４１と、筐体４１に着脱自在に設けられ、ＬＥＤパッケージ４６からの光を導く反射部４８、４９を支持する第１の支持部材としての遮蔽部材４２と、遮蔽部材４２に着脱自在に設けられるとともに、遮蔽部材４２との間に原稿Ｐの照射領域Ｗ１にＬＥＤパッケージ４６から照射を行うための開口４３ａを有し、ＬＥＤパッケージ４６からの光を導く反射部４７を支持する第２の支持部材としてのカバー部材４３とを備えている。なお、筐体４１、遮蔽部材４２およびカバー部材４３は、それぞれ樹脂製である。なお、カバー部材４３および遮蔽部材４２は支持部材を構成している。
【００４６】
また、遮蔽部材４２とカバー部材４３には光源としてのＬＥＤユニット４４が取付けられており、このＬＥＤユニット４４は、図４に示すように、ＬＥＤ基板４５上に発光素子である複数（本実施の形態では７個）のＬＥＤパッケージ４６が主走査方向に略直線状に配置されたものから構成されている。
【００４７】
本実施の形態のＬＥＤパッケージ４６は、所謂、トップビュータイプと称されるものであり、出射面がＬＥＤ基板４５の実装面と直交する方向になっている。
【００４８】
このトップビュータイプのＬＥＤパッケージ４６は、発光強度分布に指向性を有し、出射光の強度分布は、出射角に対して発光面の直交方向を基準とするランバートの余弦則に倣う強度分布（ランバート分布と呼ぶ）を有している。なお、図３は、一体型走査光学ユニット４０の断面図であり、１つのＬＥＤパッケージ４６が示されている。
【００４９】
図３において、カバー部材４３の下面には、ＬＥＤパッケージ４６からの光を導く導光部材として反射部４７が設けられており、カバー部材４３に対向する遮蔽部材４２の上面にはＬＥＤパッケージ４６からの光を導く導光部材として反射部４８、４９が設けられている。
【００５０】
すなわち、反射部４７は、カバー部材４３の下面である対向面（第２の対向面）４３ｂに設けられており、反射部４８、４９は、カバー部材４３の対向面４３ｂに対向する遮蔽部材４２の上面である対向面（第１の対向面）４２ａに設けられている。
一方、カバー部材４３の先端の上面には光拡散部材としてのシート状部材からなる光拡散シート８１の一端部が取付けられており、この光拡散シート８１の他端部は、ＬＥＤパッケージ４６側と逆方向に延在している。
【００５１】
この光拡散シート８１は、図６に示すように、主走査方向においては反射部４７の幅より大きい幅を有しているとともに、反射部４８の幅よりも大きい幅を有しており、筐体４１内を、ＬＥＤユニット４４および反射部４８、４９が収納された第１の空間５７および反射部４９が収納された第２の空間８２に離隔している。
【００５２】
図５に示すように、光拡散シート８１の一端部は、カバー部材４３の上面に接着剤や両面テープ等によって固定されており、折り目部８１ａがカバー部材４３の先端に突き当てられるようにしてカバー部材４３に固定されている。
【００５３】
また、図５〜図７に示すように、光拡散シート８１の他端部には複数（本実施の形態では３つ）の係合突起８１ｂが設けられている。また、光拡散シート８１の他端部における係合突起８１ｂ以外の端部８１ｃは、折り目部８１ａと略平行に形成されている。したがって、この係合突起８１ｂは、図８、図９に示すように、遮蔽部材４２に設けられた３つの穴４２ｃに係合されることでＬＥＤパッケージ４６から照射領域Ｗ１までの光路上において光拡散シート８１の位置が一義的に決定されるようになっている。
また、係合突起８１ｂを穴４２ｃに係合させたとき、係合突起８１ｂ以外の端部８１ｃは、遮蔽部材４２の表面４２ｆと当接するので、反射部４７および反射部４８に対する光拡散シート８１の位置関係も一義的に決定される。
【００５４】
また、図５に示すように、係合突起８１ｂは、水平面と直交する直線に対して傾斜するようになっている。また、図８、図９に示すように、遮蔽部材４２は、モールド樹脂から構成されており、遮蔽部材４２の成型時の成形型の抜き勾配を確保するために穴４２ｃに傾斜部４２ｄが形成されている。
【００５５】
図９に示すように、係合突起８１ｂの板厚と穴４２ｃの開口径とは略同一径となっており、係合突起８１ｂが穴４２ｃに挿通されたときに係合突起８１ｂの一面が傾斜部４２ｄに当接するようになっている。このとき、係合突起８１ｂがスリット５９側に移動しようとする付勢力によって、係合突起８１ｂの上部が穴４２ｃの開口に強固に係合することで光拡散シート８１が遮蔽部材４２に係合される。
【００５６】
したがって、本実施の形態のカバー部材４３が遮蔽部材４２に着脱される際には、カバー部材４３および光拡散シート８１が遮蔽部材４２に一体的に着脱される。
【００５７】
なお、穴４２ｃは、削出加工で形成されてもよく、この場合には、係合突起８１ｂを穴の全面に挟み込むようにして係合させてもよい。また、穴４２ｃに傾斜部４２ｄを設けない形状であってもよく、この場合には、図９において、穴４２ｃの左上端部と右下端部とで係合突起８１ｂを係合させてもよい。
【００５８】
また、ＬＥＤユニット４４は、遮蔽部材４２およびカバー部材４３の間で、ＬＥＤパッケージ４６からの出射光の中心光軸が略水平に向くような方向にＬＥＤ基板４５が配置されており、このＬＥＤ基板４５は、カバー部材４３の対向面４３ｂに設けられた嵌合部としての位置決め用の溝５０（図５、図６参照）と、遮蔽部材４２の対向面４２ａに設けられた嵌合部としての位置決め用の溝５１（図８、図１０参照）とその上下端部が嵌合されることにより、ＬＥＤパッケージ４６の位置が一義的に決定されている。
【００５９】
また、ＬＥＤユニット４４は、ＬＥＤ基板４５が溝５０、５１に嵌合されることにより、遮蔽部材４２およびカバー部材４３に挟持され、また、ＬＥＤ基板４５が溝５０、５１から抜け出ることにより、遮蔽部材４２およびカバー部材４３から取り外されるようになっている。すなわち、ＬＥＤユニット４４は、遮蔽部材４２およびカバー部材４３に対して着脱自在となっている。
【００６０】
また、図８、図１０に示すように、遮蔽部材４２の主走査方向両端部（図１０に主走査方向Ａを示す）には位置決め用の突起５２ａ、５２ｂが設けられており、この突起５２ａ、５２ｂは、遮蔽部材４２の主走査方向両端部から上方に突出している。また、図６、図７、図１０に示すように、カバー部材４３の主走査方向両端部には突起５２ａ、５２ｂに嵌合する位置決め用の穴５３ａ、５３ｂが設けられている。
【００６１】
一方の穴５３ａは、基準となるスリットから形成されており、他方の穴５３ｂは、主走査方向に延在する長穴から構成されている。このため、突起５２ａ、５２ｂを穴５３ａ、５３ｂに嵌合したときに、遮蔽部材４２とカバー部材４３の寸法ばらつきを吸収することができる。なお、他方の穴５３ｂは、主走査方向に延在する長穴となっているため、ＬＥＤ基板４５が副走査方向に傾いてしまうのを防止することができる。
【００６２】
また、カバー部材４３は、外部から一体型走査光学ユニット４０に進入する外乱光を防ぐために設けられており、対向面４３ｂに設けられた反射部４７によってＬＥＤパッケージ４６から照射された光が反射部４９に導かれるようになっている。
本実施の形態の反射部４７〜４９は、遮蔽部材４２およびカバー部材４３の対向面４２ａ、４３ｂの形状に沿った反射面形状に成型された母材の表面にアルミ箔等の反射シートを接着させるようにして構成されている。
なお、反射部４７〜４９は、反射面に成型された母材の表面にアルミを蒸着することにより構成してもよいし、反射面に反射材を練り込んだ塗装を施したものから構成したり、反射材料によるメッキを施すことにより構成してもよい。
また、光拡散シート８１は、光を拡散する作用があるものであれば、どのようなタイプでも構わない。例えば、第１の空間５７側のシート面に拡散作用を有するように構成したものや、第２の空間８２側のシート面に拡散作用を有するように構成したもの、あるいは、光拡散シート８１の内部で拡散作用を有する構成にしたものであってもよい。
【００６３】
本実施の形態では、突起５２ａ、５２ｂを穴５３ａ、５３ｂに嵌合することにより、遮蔽部材４２とカバー部材４３との相対的な位置決めを行うことができるため、遮蔽部材４２およびカバー部材４３のそれぞれに設けられたＬＥＤ基板４５の位置決め用の溝５０、５１をコンタクトガラス７面に対して直角の方向になるように配置することができ、ＬＥＤ基板４５を垂直に保持することができる。このため、発光面をＬＥＤ基板４５と平行に配置されたＬＥＤパッケージ４６から出射した光の中心光軸を水平方向に指向させることができる。
このように発光面をＬＥＤパッケージ４６から出射した光の中心光軸を水平方向に指向させることができるため、ＬＥＤパッケージ４６から出射された照明光は、ある角度で広がりながら略水平方向に進行する。
【００６４】
遮蔽部材４２の反射部４８によって反射させられたＬＥＤパッケージ４６の照明光は、光拡散シート８１を通してさらにある角度で広がりながら図３において原稿Ｐの照射領域Ｗ１に対して左側から照射されるようになっており、光拡散シート８１を通してある角度で広がった後、カバー部材４３の反射部４７で反射させられた照明光は、遮蔽部材４２の反射部４９でさらに反射し、若しくは、直接ＬＥＤパッケージ４６から反射部４９に到達して反射する光も照射領域Ｗ１に対して図３の右側から照射される。
【００６５】
なお、照射領域Ｗ１は、コンタクトガラス７上のある一定範囲である。また、図３において、照射領域Ｗ１に対して右側を走査方向の前側とし、照射領域Ｗ１に対して左側を走査方向の後側とすると、本実施の形態では、上述した反射部４７〜４９から照明作用により、照射領域Ｗ１に対して副走査方向の前後方向から光が略均等に照射されることになり、立体物の原稿や切り貼りされた原稿等も影が出ないようにすることができる。
【００６６】
したがって、カバー部材４３および遮蔽部材４２の形状は、ＬＥＤパッケージ４６から照射される光を照射領域Ｗ１に対して副走査方向に一定の照度分布で導くように設計された折り曲げ形状となっている。
【００６７】
すなわち、本実施の一体型走査光学ユニット４０は、筐体４１に設けられ、発光するＬＥＤユニット４４と、ＬＥＤパッケージ４６からの光を原稿Ｐの照射領域Ｗ１に照射する反射部４７と、ある一定の角度で光を広がらせる光拡散シート８１を有するカバー部材４３と、ＬＥＤパッケージ４６からの光を原稿Ｐの照射領域Ｗ１に照射する反射部４８、４９を有する遮蔽部材４２とからなる原稿照明装置としての原稿照明部５６を備えたものとなる。
【００６８】
また、遮蔽部材４２は、筐体４１に着脱自在に設けられており、図３に示すように、筐体４１内を、ＬＥＤユニット４４が設けられた第１の空間５７および第２の空間８２と、第１の空間５７の下方に位置し、画像読取部５４が設けられた第３の空間５８とに隔離するようになっている。
すなわち、遮蔽部材４２は、筐体４１内に画像読取部５４が収納された空間としての第３の空間５８が画成されるように原稿照明部５６と画像読取部５４とを隔離している。
【００６９】
この遮蔽部材４２の対向面４２ａは、画像読取部５４の底面を構成するものであり、遮蔽部材４２は、第３の空間５８に原稿Ｐからの反射光以外の照明光が進入しないように第１の空間５７および第２の空間８２から遮断する（隔離する）機能を有しており、原稿照明部５６の下方を覆うとともに、筐体４１との間で隙間が生じないように筐体４１に取付けられている。
【００７０】
このように本実施の形態では、反射部４７を第１の空間５７および第２の空間８２に対向するカバー部材４３の対向面４３ｂに設けるとともに、反射部４８、４９を第１の空間５７および第２の空間８２に対向する遮蔽部材４２の対向面４２ａに設けることで、第３の空間５８と隔離された第１の空間５７および第２の空間８２を画成することができる。
【００７１】
また、図３、図８、図１０に示すように、遮蔽部材４２には主走査方向に延在するスリット５９が形成されており、このスリット５９は、ＬＥＤユニット４４から遠く離れて位置している（図３中、右方）。
【００７２】
また、スリット５９は、反射部４８および反射部４９の間に位置するようにして設けられており、原稿Ｐからの反射光（原稿像の光）を第１の空間５７から第２の空間８２を通して第３の空間５８に導くようになっている
また、スリット５９は、上下方向に開口しており、開口の高さはＬＥＤパッケージ４６の中心よりも高い位置、すなわち、原稿Ｐに近い位置に設けられている。このため、ＬＥＤパッケージ４６からの照射光を第１の空間５７から第２の空間８２を通して第３の空間５８に進入し難くして、原稿Ｐからの反射光のみを第３の空間５８に導くことができる。
【００７３】
なお、反射部４８、４９を除いたスリット５９の近傍の遮蔽部材４２の表面４２ｆやスリット５９内の垂直方向の内周側面は、反射率の低い表面処理または、黒色に構成されており、反射部４８、４９を除いた遮蔽部材４２の対向面４２ａで光を反射し難くしている。
【００７４】
一方、図３において、第３の空間５８に位置する筐体４１には反射ミラー６０ａ〜６０ｅ、結像レンズ６１および撮像素子としてのＣＣＤ（Ｃｈａｒｇｅ Ｃｏｕｐｌｅｄ Ｄｅｖｉｃｅ）６３が設けられており、これら反射ミラー６０ａ〜６０ｅ、結像レンズ６１およびＣＣＤ６３は、読取手段としての画像読取部５４を構成している。
【００７５】
反射ミラー６０ａ〜６０ｅは、ＬＥＤユニット４４から反射部４７〜４９を介して原稿Ｐの照射領域Ｗ１が照射されたときに、照射領域Ｗ１における原稿Ｐのライン上（主走査方向）の反射光Ｌ、すなわち、読取光軸が遮蔽部材４２のスリット５９を介して第３の空間５８に導かれると、反射ミラー６０ａ、６０ｂ、６０ｃ、６０ｄ、６０ｅの順に反射するようになっている。したがって、反射ミラー６０ａ〜６０ｅは、反射光Ｌを結像レンズ６１に導くように筐体４１の所定個所に取付けられている。
【００７６】
この結像レンズ６１は、筐体４１の底部に取付けられており、反射ミラー６０ｅによって反射された光を結像させるようになっている。ＣＣＤ６３は、結像レンズ６１の結像位置に配置されるように筐体４１の副走査方向一側面に取付けられており、原稿Ｐの画像を読み取るようになっている。本実施の形態のＣＣＤ６３は、Ｒ（赤）、Ｇ（緑）、Ｂ（青）の各色毎に設けられており、カラー画像の読み取りを行うことができる。
【００７７】
このＣＣＤ６３は、ＳＢＵ（スキャナボードユニット）６４上に配置されており、このＳＢＵ６４は、筐体４１の副走査方向一側面に取付けられている。このＳＢＵ６４にはＣＣＤ６３の他にＩＣチップやチップコンデンサ等の電子部品が実装されており、ＣＣＤ６３によって読み取られた原稿Ｐの画像を処理し、露光装置３１に送信するようになっている。
【００７８】
次に、図１１〜図１４に基づいて筐体４１の構成、筐体４１と遮蔽部材４２およびカバー部材４３との位置関係を説明する。
まず、ＬＥＤユニット４４、反射部４７〜４９のメンテナンスを行う場合には、カバー部材４３の穴５３ａ、５３ｂを遮蔽部材４２の突起５２ａ、５２ｂから抜き出した後、カバー部材４３を上方に持ち上げることにより、光拡散シート８１の係合突起８１ｂが遮蔽部材４２の穴４２ｃから外れ、カバー部材４３および光拡散シート８１を一体的に遮蔽部材４２から取り外す。
【００７９】
このとき、位置決め用の溝５０がＬＥＤユニット４４から外れるため、外部に開放されたＬＥＤユニット４４を位置決め用の溝５１から抜き出すことにより、ＬＥＤユニット４４を遮蔽部材４２から取り外す。
【００８０】
ＬＥＤユニット４４および反射部４７〜４９のメンテナンスが終了してカバー部材４３を遮蔽部材４２に組み付ける場合には、ＬＥＤユニット４４を溝５１に嵌合させた後、光拡散シート８１の係合突起８１ｂを遮蔽部材４２の穴４２ｃに係合させ、次いで、カバー部材４３の穴５３ａ、５３ｂを遮蔽部材４２の突起５２ａ、５２ｂに嵌合させることにより、カバー部材４３および遮蔽部材４２を一体化する。
また、カバー部材４３の穴５３ａ、５３ｂを遮蔽部材４２の突起５２ａ、５２ｂに嵌合させたときに、カバー部材４３の溝５０にＬＥＤユニット４４が嵌合されるため、ＬＥＤユニット４４がカバー部材４３および遮蔽部材４２に挟持されるようにしてカバー部材４３および遮蔽部材４２に取付けられる。
【００８１】
一方、図１１〜図１４において、筐体４１の主走査方向両端部には一対の溝６６が形成されており、この一対の溝６６の垂直方向の内周側面を結んだ線は、主走査方向に平行となっている。なお、図１１〜図１４には主走査方向の一方側の溝６６のみを図示している。
【００８２】
また、図１０に示すように、遮蔽部材４２の主走査方向両端部には突起６７が形成されており、この突起６７は、遮蔽部材４２の主走査方向両端部から水平方向に突出し、溝６６に嵌合されるようになっている。
【００８３】
そして、突起６７を溝６６に嵌合することによって遮蔽部材４２を筐体４１に取付けると、ＬＥＤユニット４４と反射ミラー６０ａ〜６０ｅ、結像レンズ６１およびＣＣＤ６３との位置決めが行われる。
【００８４】
すなわち、カラー複写機１では、ＬＥＤパッケージ４６から原稿Ｐの照射領域Ｗ１に照射される光の中にそれぞれ数十μｍ程度の幅のＲ、Ｇ、Ｂラインが含まれる。このため、原稿Ｐから反射される読取光軸Ｌがずれた状態で反射ミラー６０ａ〜６０ｅおよび結像レンズ６１を通してＣＣＤ６３に入力されると、Ｒ、Ｇ、Ｂの光量バランスが一定とならずに、鮮明な画像を読み取ることができないおそれがある。
【００８５】
本実施の形態では、照射領域Ｗ１における原稿の副走査方向の照度分布を一定にして照度分布のピーク光量位置とＣＣＤ６３の中心、すなわち、読取領域の中心とが一致するように、ＬＥＤユニット４４および反射部４７〜４９と反射ミラー６０ａ〜６０ｅ、結像レンズ６１およびＣＣＤ６３とを位置決めするための突起６７を遮蔽部材４２の主走査方向両端部に設け、この突起６７を筐体４１の溝６６に嵌合させるようにしているため、遮蔽部材４２を筐体４１に取付けるだけで、照射領域Ｗ１における原稿の副走査方向の照度分布を一定にして照度分布のピーク光量位置と読取領域の中心とを一致させることができる。
【００８６】
また、溝６６および突起６７は、遮蔽部材４２およびカバー部材４３に設けられたＬＥＤ基板４５の位置決め用の溝５０、５１の近傍に設けられており、ＬＥＤ基板４５の上下端部を位置決め用の溝５０、５１に嵌合することでＬＥＤ基板４５を遮蔽部材４２およびカバー部材４３に取付けた後、突起６７を溝６６に嵌合することにより、遮蔽部材４２およびカバー部材４３を筐体４１に取付けたときに、ＬＥＤ基板４５を主走査方向と平行に位置決めすることができる。
【００８７】
すなわち、溝６６および突起６７をＬＥＤ基板４５の位置決め用の溝５０、５１の近傍に設けることにより、ＬＥＤパッケージ４６からの出射光の中心光軸が略水平に向くような方向にＬＥＤ基板４５を配置するための精度を高めることができる。
【００８８】
また、図１２〜図１４に示すように、筐体４１の主走査方向の一側面には溝部７０が形成されており、この溝部７０の底面にはボルト挿通孔７０ａが開口している。
【００８９】
また、図１０に示すように、遮蔽部材４２の主走査方向一端部には内周面にネジ部が加工されたボルト挿通部７２が形成されており、遮蔽部材４２を筐体４１に取付けたときに、ボルト挿通孔７０ａとボルト挿通部７２が位置合わせされるようになっている。
【００９０】
そして、ボルト挿通孔７０ａを介してボルト挿通部７２にボルト７１を螺合することにより、遮蔽部材４２が筐体４１に固定されるようになっている。なお、溝部７０の深さは、ボルト７１の頭部の高さと略同程度となっており、ボルト７１の頭部が筐体４１の側面から突出しないようになっている。
このように本実施の形態では、反射部４７が取付けられる対向面４３ｂを有するカバー部材４３と、カバー部材４３に対して分割されるとともにカバー部材４３に着脱自在に設けられ、カバー部材４３の対向面４３ｂに対向して反射部４８、４９が取付けられた対向面４２ａを有する遮蔽部材４２とを備え、カバー部材４３に光拡散シート８１を固定するとともに、遮蔽部材４２に、光拡散シート８１の係合突起８１ｂに係合する穴４２ｃを設けたので、カバー部材４３および光拡散シート８１を遮蔽部材４２から一体的に取り外すことができ、ＬＥＤユニット４４および反射部４７〜４９に簡単にアクセスすることができる。
【００９１】
また、遮蔽部材４２に設けられた穴４２ｃに光拡散シート８１の係合突起８１ｂを係合させるようにしてカバー部材４３および光拡散シート８１を遮蔽部材４２に一体的に取付けることにより、光拡散シート８１をＬＥＤパッケージ４６から照射領域Ｗ１までの光路上に高精度に位置決め、すなわち、ＬＥＤパッケージ４６からの照射光の中心光軸が光拡散シート８１で屈折しないように中心光軸に対して水平に光拡散シート８１を設置することができる。この結果、原稿照明部５６のメンテナンス作業の作業性を向上させて副走査方向に均一な照度分布を得ることができる。
【００９２】
また、本実施の形態では、光拡散シート８１が、カバー部材４３に固定される一端部と、遮蔽部材４２に形成された穴４２ｃに係合突起８１ｂを有する他端部とを備えているので、反射率（導光効率）の良い反射部４７を用いた場合にカバー部材４３が光拡散シート８１に覆われてしまうのを防止することができる。
このため、遮蔽部材４２の反射部４７のメンテナンスを確実に行うことができるとともに、光拡散シート８１の幅方向（主走査方向）で拡散効果を得ることができる。この結果、照明リップルを抑制して副走査方向の照度分布をより確実に均一にすることができる。
【００９３】
また、本実施の形態では、筐体４１内に画像読取部５４が収納された第２の空間８２が画成されるように原稿照明部５６と画像読取部５４とを隔離する遮蔽部材４２を設け、この遮蔽部材４２の上面にＬＥＤユニット４４からの光を原稿Ｐの照射領域Ｗ１に照射するための反射部４８、４９を設けるとともに、原稿Ｐから反射された光を第１の空間５７から第２の空間８２を通して第３の空間５８に導くように主走査方向に延在する長尺のスリット５９を設けたので、原稿Ｐからの反射光を画像読取部５４に導く光路を確保して、原稿照明部５６と画像読取部５４を光学的に遮断することができる。
このため、ＬＥＤユニット４４からの照射光が遮蔽部材４２によって反射ミラー６０ａ〜６０ｅ、結像レンズ６１およびＣＣＤ６３に入り込むのを防止することができ、原稿Ｐからの反射光以外の光（フレア光）が画像読取部５４に入り込むことを防止できる。
特に、画像読取部５４が１つ以上の反射ミラー６０ａ〜６０ｅを有する場合には、反射ミラー６０ａ〜６０ｅの配置によってフレア光の発生が起こり易い。また、結像レンズとして、等倍センサに用いられるセルフォックレンズアレイ等の等倍結像系よりも縮小結像系の鏡筒レンズを用いた場合には、フレア光がＣＣＤ６３に入射し易い。本実施の形態では、遮蔽部材４２を設けることによって結像光以外の照明光を遮断することができるので、フレア光の防止に有効である。
また、本実施の形態では、反射部４８、４９を有する遮蔽部材４２の主走査方向両端部に、筐体４１の溝６６に嵌合され、原稿照明部５６と画像読取部５４との位置決めを行う突起６７を設けたので、遮蔽部材４２を筐体４１に取付けるだけの簡単な作業で照射領域Ｗ１における副走査方向の照度分布を一定にして照度分布のピーク光量位置とＣＣＤ６３の中心を一致させることができ、ＣＣＤ６３によって鮮明な画像を読み取ることができる。
また、本実施の形態では、遮蔽部材４２を筐体４１に着脱自在にしたので、画像読取部５４へのアクセスを容易にして、画像読取部５４のメンテナンスを容易に行うことができる。
なお、本実施の形態では、遮蔽部材４２をボルト７１によって筐体４１に固定しているが、これに限らず、図１５、図１６に示すように、カバー部材４３の主走査方向両端部に嵌合溝６８ａが形成された嵌合片６８を設けるとともに、遮蔽部材４２の主走査方向両端部に突起６９を形成し、嵌合片６８の嵌合溝６８ａを突起６９に嵌合することにより、遮蔽部材４２およびカバー部材４３を筐体４１に取付けるようにしてもよい。
このようにすれば、溝部７０やボルト挿通部７２は必ずしも必要ではなく、嵌合片６８および突起６９によってカバー部材４３を筐体４１に固定するのを利用して、カバー部材４３を介して遮蔽部材４２を筐体４１に固定するだけでもよい。
また、遮蔽部材４２およびカバー部材４３を筐体４１に取付ける手段としては、スナップフィットによって遮蔽部材４２およびカバー部材４３を筐体４１に固定してもよい。また、カバー部材４３を遮蔽部材４２に圧入した後、遮蔽部材４２を筐体４１に圧入することによって固定してもよい。さらに、カバー部材４３を遮蔽部材４２に取付けた後に、遮蔽部材４２をピンによって筐体４１に固定したり、遮蔽部材４２を筐体４１に引っ掛けるようにして固定してもよい。
また、本実施の形態では、遮蔽部材４２によって筐体４１内に第１の空間５７と第２の空間８２とを画成しているが、これに限らず、遮蔽部材４２を筐体４１の上端開口部に設けてもよい。すなわち、遮蔽部材４２を、筐体４１内に画像読取部５４を収納するための空間を画成するための蓋として用いてもよい。
また、本実施の形態の穴４２ｃの入口（上部）の開口径が出口（下部）の開口径よりも小さくなっているが、図１７に示すように、穴４２ｃの入口の開口径を出口の開口径よりも大きくしてもよい。このようにすれば、係合突起８１ｂを穴４２ｃに容易に嵌合させることができる。
【００９４】
また、穴４２ｃの入口の開口径を出口の開口径よりも大きくした場合には、穴４２ｃの出口の開口径と係合突起８１ｂの板厚を同じにして係合突起８１ｂの下部を穴４３の出口に嵌合させることができればよい。
また、本実施の形態では、光拡散シート８１をカバー部材４３に固定しているが、遮蔽部材４２に固定してもよい。この場合には、カバー部材４３に光拡散シート８１の係合突起８１ｂに係合する穴を設ければよい。
【００９５】
（第２の実施の形態）
図１８は、本発明に係る原稿照明装置、走査光学ユニット、画像読取装置および画像形成装置の第２の実施の形態を示す図であり、本実施の形態では、原稿照明装置を除いた画像読取装置の構成が第１の実施の形態と異なるのみであり、第１の実施の形態と同一の構成には同一番号を付して説明を省略する。
【００９６】
図１６において、画像読取装置４は、筐体４ａ内に、走査光学ユニットを構成し、矢印Ｂで示すように副走査方向に一定の速度で移動する第１の走行体１０１と、矢印Ｂで示す副走査方向に第１の走行体１０１の半分の速度で走行する第２の走行体１０６と、筐体４ａに固定された結像レンズ１０７と、筐体４ａに固定されたＣＣＤ１０８とを備えている。
【００９７】
第１の走行体１０１は、筐体１０２に第１の実施の形態と同様の構成を有する原稿照明装置としての原稿照明部５６が着脱自在に設けられている。また、遮蔽部材４２は、筐体１０２内をＬＥＤユニット４４が設けられ、光拡散シート８１によって画成される第１の空間５７および第２の空間８２と、第１の空間５７および第２の空間８２の下方に位置し、反射ミラー１０３が設けられた第３の空間５８とに隔離している。また、本実施の形態の光拡散シート８１は、カバー部材４３に接着剤等によって固定されている。
すなわち、遮蔽部材４２は、筐体１０２内に反射ミラー１０３が収納された空間としての第２の空間８２が画成されるように原稿照明部５６と反射ミラー１０３とを隔離している。
【００９８】
そして、原稿Ｐからの反射光がスリット５９を通して第１の空間５７から第２の空間８２を通してから第３の空間５８に導かれ、反射ミラー１０３で結像光が反射されるようになっている。また、第２の走行体１０６内には、反射ミラー１０４、１０５が取付けられており、この反射ミラー１０４、１０５は、反射ミラー１０３から反射された光を結像レンズ１０７に反射するようになっている。
【００９９】
結像レンズ１０７は、反射ミラー１０５から反射された光を撮像素子としてのＣＣＤ１０８に結像するようになっている。ＣＣＤ１０８は、結像位置に設けられており、結像レンズ１０７によって結像された光を読み取るようになっている。本実施の形態では、反射ミラー１０３〜１０５、結像レンズ１０７およびＣＣＤ１０８が読取手段を構成している。
【０１００】
本実施の形態では、遮蔽部材４２によって筐体１０２内を、ＬＥＤユニット４４が設けられた第１の空間５７および第２の空間８２と読取手段である反射ミラー１０３が設けられた第３の空間（空間）５８とに隔離し、原稿Ｐからの反射光を第１の空間５７から遮蔽部材４２に設けられたスリット５９を通して第２の空間８２に導くようにしたので、原稿Ｐからの反射光を反射ミラー１０３に導く光路を確保して、原稿照明部５６と反射ミラー１０３を光学的に遮断することができる。
【０１０１】
このため、ＬＥＤユニット４４からの照射光が遮蔽部材４２によって反射ミラー１０３に入り込むのを防止することができ、原稿Ｐからの反射光以外の光（フレア光）が反射ミラー１０３に入り込むことを防止できる。このため、ＣＣＤ１０８によってより鮮明な画像を読み取ることができる。
また、本実施の形態では、遮蔽部材４２によって筐体１０２内に第１の空間５７および第２の空間８２と第３の空間５８とを画成しているが、これに限らず、遮蔽部材４２を筐体１０２の上端開口部に設けてもよい。すなわち、遮蔽部材４２を、筐体１０２内に反射ミラー１０３を収納するための空間を画成するための蓋として用いてもよい。
また、本実施の形態では、第１の実施の形態と同様に、光拡散シート８１をカバー部材４３と一体的に遮蔽部材４２に対して着脱することができるため、原稿照明部５６のメンテナンス作業の作業性を向上させることができる。
【０１０２】
（第３の実施の形態）
図１９〜図２１は、本発明に係る原稿照明装置、走査光学ユニット、画像読取装置および画像形成装置の第３の実施の形態を示す図であり、導光部材および光拡散部材の構成が第１の実施の形態と異なるのみであり、第１の実施の形態と同一の構成には同一番号を付して説明を省略する。
【０１０３】
また、図１９〜図２１に示すように、カバー部材４３には導光部材９１が設けられており、この導光部材９１は、ＬＥＤユニット４４からの照射光が入射される入射面９１ａから入った光を内部で反射して、出射面９１ｂから光を出射するようになっている。
【０１０４】
また、導光部材９１の側面９１ｃ、９１ｄは、カバー部材４３の対向面４３ｂおよび遮蔽部材４２の対向面４２ａに形成される反射部４７〜４９に相当するものであり、出射面９１ｂの表面を加工することで出射面９１ｂが光拡散シート８１に相当する機能を有することになる。
【０１０５】
また、導光部材９１の側面９１ｃは、カバー部材４３の対向面４３ｂに接着剤等によって固定されており、導光部材９１の側面９１ｄの主走査方向両端部には係合突起９２が形成されている。
【０１０６】
この係合突起９２は、遮蔽部材４２に形成された係合部としての穴４２ｅに係合するようになっており、係合突起９２が穴４２ｅに係合することにより、入射面９１ａ、光拡散部材に相当する出射面９１ｂおよび側面９１ｃ、９１ｄの位置がＬＥＤユニット４４に対して一義的に決まるようになっている。
【０１０７】
本実施の形態では、導光部材９１の側面９１ｃが取付けられる対向面４３ｂを有するカバー部材４３と、カバー部材４３に対して分割されるとともにカバー部材４３に着脱自在に設けられ、対向面４３ｂに対向して導光部材９１の側面９１ｄが取付けられた対向面４２ａを有する遮蔽部材４２とを備えた。
【０１０８】
このため、カバー部材４３に光拡散部材（出射面９１ｂ）が一体化された導光部材９１を固定するとともに、遮蔽部材４２に、導光部材９１の係合突起９２に係合する穴４２ｅを設けたので、カバー部材４３および導光部材９１を遮蔽部材４２から一体的に取り外すことができ、ＬＥＤユニット４４および導光部材９１に簡単にアクセスすることができる。
【０１０９】
また、遮蔽部材４２に設けられた穴４２ｃに導光部材９１の係合突起９２を係合させるようにしてカバー部材４３および光拡散機能を有する出射面９１ｂを有する導光部材９１を遮蔽部材４２に一体的に取付けることにより、光拡散機能を有する出射面９１ｂをＬＥＤパッケージ４６から照射領域Ｗ１までの光路上に高精度に位置決めすることができる。この結果、原稿照明部５６のメンテナンス作業の作業性を向上させて副走査方向に均一な照度分布を得ることができる。
【産業上の利用可能性】
【０１１０】
以上のように、本発明に係る原稿照明装置、走査光学ユニット、画像読取装置および画像形成装置は、光源、導光部材および光拡散部材の分解および組み付けを容易に行うことができるとともに、組み付け時に光源から照射領域までの光路上に高精度に位置決めすることができ、原稿照明装置のメンテナンス作業の作業性を向上させて副走査方向に均一な照度分布を得ることができるという効果を有し、原稿に光を照射する原稿照明装置、この原稿照明装置を備えた走査光学ユニット、この走査光学ユニットを備えた複写機、ファクシミリ装置、イメージスキャナ等に使用される画像読取装置およびこの画像読取装置を備えた画像形成装置等として有用である。
【符号の説明】
【０１１１】
１  カラー複写機（画像形成装置）
４  画像読取装置
５  画像形成部（画像形成手段）
４０  一体型走査光学ユニット
４１  筐体
４２  遮蔽部材（第１の支持部材）
４２ａ  対向面（第１の対向面）
４２ｃ、４２ｅ  穴（係合部）
４３  カバー部材（第２の支持部材）
４３ｂ  対向面（第２の対向面）
４４  ＬＥＤユニット（光源）
４７  反射部
５４  画像読取部（読取手段）
５６  原稿照明部（原稿照明装置）
５９  スリット
６０ａ〜６０ｅ、１０３〜１０５  反射ミラー（読取手段）
６１、１０７  結像レンズ（読取手段）
８１  光拡散シート（光拡散部材）
８１ｂ  係合突起
８２  第２の空間（空間）
９１  導光部材
９１ｂ  出射面（光拡散部材）
１０８  ＣＣＤ（読取手段）
Ｐ  原稿
Ｗ１  照射領域
【先行技術文献】
【特許文献】
【０１１２】
【特許文献１】特開２００６−２５３０３号公報
【特許文献２】特開２００８−２０９８７９号公報
【特許文献３】特開２００５−１５６６００号公報
【図１】
2010191184.tif 000003
【図２】
2010191184.tif 000004
【図３】
2010191184.tif 000005
【図４】
2010191184.tif 000006
【図５】
2010191184.tif 000007
【図６】
2010191184.tif 000008
【図７】
2010191184.tif 000009
【図８】
2010191184.tif 000010
【図９】
2010191184.tif 000011
【図１０】
2010191184.tif 000012
【図１１】
2010191184.tif 000013
【図１２】
2010191184.tif 000014
【図１３】
2010191184.tif 000015
【図１４】
2010191184.tif 000016
【図１５】
2010191184.tif 000017
【図１６】
2010191184.tif 000018
【図１７】
2010191184.tif 000019
【図１８】
2010191184.tif 000020
【図１９】
2010191184.tif 000021
【図２０】
2010191184.tif 000022
【図２１】
2010191184.tif 000023